(57)【要約】  鎌底を上げて、腕上げをし易くしても、肩周辺の締め付けと、ステッチによる引きつれが生じにくいマチ構造を有する上衣を提供することを課題とする。  マチ２を、脇部Ａ、脇下部Ｂ、袖部Ｃの３つのブロックで構成し、脇部Ａ及び袖部Ｃは、なだらかな曲線又直線で形成された両側縁を有し、マチ２の脇下部Ｂは、前脇下部と後脇下部の両側縁に、次第に湾曲して鎌底ａ付近が最も広がる前側凸部３と後側凸部４を有し、このマチ２の前側凸部３と後側凸部４が縫合される前身頃、後身頃及び袖部分の形状を、マチの前側凸部と後側凸部に適合する凹みを有しない異形状にした。
2012090265.tif 000002
【特許請求の範囲】
【請求項１】
前身頃と、後身頃と、袖と、前身頃、後身頃の脇下から脇裾方向及び袖口方向に延びる細長い一枚のマチとを一体に縫合したものであって、上記マチは、脇部、脇下部、袖部の３つのブロックで構成され、マチの脇部及び袖部は、なだらかな曲線又直線で形成された両側縁を有し、マチの脇下部は、前脇下部と後脇下部の両側縁に、次第に湾曲して鎌底付近が最も広がる前側凸部と後側凸部を有し、このマチの前側凸部と後側凸部が縫合される前身頃、後身頃及び袖部分の形状を、マチの前側凸部と後側凸部に適合する凹みを有しない異形状にしたことを特徴とする上衣。
【請求項２】
マチの素材が、身頃の素材よりも幅方向に弾性力が高くて曲り難い素材であることを特徴とする請求項１記載の上衣。
【請求項３】
マチの長さは、ウエスト線から脇下を経て、肘線までの長さよりも長いことを特徴とする請求項１又は２記載の上衣。
【請求項４】
マチの長さは、ウエスト線から脇下を経て、肘線までの長さよりも短いことを特徴とする請求項１又は２記載の上衣。
【請求項５】
マチの長さは、ウエスト線から脇下、さらに三角筋粗面を経て、肘線までの長さよりも短いことを特徴とする請求項４記載の上衣。
【請求項６】
マチは、ウエスト線近傍から脇下を経て、肘線近傍まで延びることを特徴とする請求項１又は２記載の上衣。
【請求項７】
マチが袖口まで延びることを特徴とする請求項１又は２記載の上衣。
【請求項８】
マチが脇裾まで延びることを特徴とする請求項１又は２記載の上衣。
【発明の詳細な説明】
【技術分野】
【０００１】
この発明は、脇の下にマチを配し、腕の激しい動きに対しても追従性の良い上衣に関するものである。
【背景技術】
【０００２】
バレーボールや野球等、特に、腕の上げ下ろしを激しく行うスポーツにおいて着用するユニホームやアンダーウェア等の上衣は、腕の激しい動きに対する追従性を良くするために、従来から脇下にマチを配置することが行われている。【０００３】
マチは、上衣に厚みを作り、フィット性を高める。図１４は、袖の付け根部分を示しており、一点鎖線で身体のライン１０を示し、実線でマチを配置した上衣のライン１１を示し、鎖線でマチを付けない場合の上衣のライン１２を示している。図１４に示すように、上衣の脇下部分にマチを配置すると、上衣の鎌底ａ（脇下の最も凹んだ箇所）を上げ、袖下寸法ｂ（矢印の範囲）を長くすることができるので、フィット性を高めることができ、腕をスムーズに上げやすくなる。【０００４】
ところで、従来のマチ形状としては、図１５に示すように、裾から脇下を通り袖口に至る領域に配置し、ほぼ一定幅を有するストレートマチ１３、同領域に配置し、裾と袖口から脇下に向かって徐々に幅を広げた、図５に示す紡錘マチ１４（特許文献１）、図１６に示すように、脇下付近に配置する菱形マチ１５等がある。
【先行技術文献】
【特許文献】
【０００５】
【特許文献１】実用新案登録第３１０９８５９号公報
【発明の概要】
【発明が解決しようとする課題】
【０００６】
ところが、上記従来のマチには、以下のような問題点がある。【０００７】
まず、マチを、前身頃、後身頃と上袖に取付ける際に、図１４に示したように、鎌底ａを上げると、上衣の脇下部分を身体１０にフィットさせることができ、袖下寸法ｂが長くなるので、腕を上げやすくすることができるが、鎌底ａを上げすぎると、腕を下ろした時に、肩回りのゆとり量が不足するので、脇下及び肩上部の締め付けが大きくなる。【０００８】
図１５に示すようなストレートマチ１３においてその傾向が顕著になる。【０００９】
図１４には、肩上部の締め付け力の方向を矢印ｃで示している。【００１０】
脇下において、マチの幅を広げた紡錘マチ１４や菱形マチ１５では、脇下に生地のゆとりが生じるため、脇下の締め付け力は緩和される。しかし、肩上部にゆとりを生じさせることはできず、肩上部の締め付け力を緩和することができない。【００１１】
次に、腕を上げた時、身体の体側部には、鉛直方向に皮膚伸びが大きい領域ｄが形成されるため、図１１に示すように、マチと身頃を縫製するステッチｆが、皮膚伸びラインｅに平行に近くなると、ステッチｆが皮膚の伸びを阻害し、上衣に引きつれが生じる。【００１２】
この引きつれは、体側に沿ってステッチｆが走るストレートマチ１３では特に問題となる。【００１３】
このように、従来のマチには、肩周辺の締め付けが大きく、ステッチｆによる引きつれが大きいという問題があった。【００１４】
そこで、この発明は、鎌底を上げて、腕上げをし易くしても、肩周辺の締め付けと、ステッチによる引きつれが生じにくいマチ構造を有する上衣を提供しようとするものである。
【課題を解決するための手段】
【００１５】
この発明に係る上衣は、前身頃と、後身頃と、袖と、前身頃、後身頃の脇下から脇裾方向及び袖口方向に延びる細長い一枚のマチとを一体に縫合したものであり、上記マチは、脇部、脇下部、袖部の３つのブロックで構成し、マチの脇部及び袖部は、なだらかな曲線又直線で形成された両側縁を有し、マチの脇下部は、前脇下部と後脇下部の両側縁に、次第に湾曲して鎌底付近が最も広がる前側凸部と後側凸部を有し、このマチの前側凸部と後側凸部が縫合される前身頃、後身頃及び袖部分の形状を、マチの前側凸部と後側凸部に適合する凹みを有しない異形状にしたことを特徴とする。【００１６】
また、この発明に係る上衣は、マチの素材が、身頃の素材よりも幅方向に弾性力が高くて曲り難い素材であることを特徴とする。【００１７】
また、この発明に係る上衣は、マチの長さが、ウエスト線から脇下を経て、肘線までの長さよりも長いことを特徴とする。【００１８】
また、この発明に係る上衣は、マチの長さが、ウエスト線から脇下を経て、肘線までの長さよりも短いことを特徴とする。【００１９】
また、この発明に係る上衣は、マチが、ウエスト線近傍から脇下を経て、肘線近傍まで延びることを特徴とする。
【発明の効果】
【００２０】
この発明は、上記のように、マチの前脇下部と後脇下部の両側縁に、次第に湾曲して鎌底付近が最も広がる前側凸部と後側凸部を形成しているので、前側凸部と後側凸部がゆとり分量として作用し、さらに、前側凸部と後側凸部が縫合される身頃側の形状を、マチの前側凸部と後側凸部に適合する凹みを有しない異形状に形成することにより、マチから身頃に対して押し上げる力が作用し、肩上部の締め付け力が減少すると共に、マチと身頃とのステッチによる引きつれが生じにくい。
【図面の簡単な説明】
【００２１】
【図１】左側のマチを縫合する前の状態で示したこの発明の上衣の実施例の概略図である
【図２Ａ】人体の部位とこの発明におけるマチとの関係を示す概略図である。
【図２Ｂ】人体の正面側の脇下付近を示す概略図である。
【図２Ｃ】人体の背側の脇下付近を示す概略図である。
【図３】この発明の上衣の左側の身頃を示す展開図である。
【図４】従来のストレートマチ（比較例１）の展開図である。
【図５】従来の広幅の紡錘マチ（比較例２）の展開図である。
【図６】従来の狭幅の紡錘マチ（比較例３）の展開図である。
【図７】比較例４の左側の身頃を示す展開図である。
【図８】腕を１８０度上げた時に上腕部に加わる着圧の比較実験の結果を示すグラフである。
【図９】腕を１８０度上げた時のステッチラインの動きを示すグラフである。
【図１０】この発明の上衣に使用したマチのステッチラインと皮膚伸びラインとの関係を示す概略図である。
【図１１】従来のストレートマチのステッチラインと皮膚伸びラインとの関係を示す概略図である。
【図１２】腕を１８０度上げた時のズレ上がり量の実験結果を示すグラフである。
【図１３Ａ】この発明の上衣の他の実施例を示す概略図である。
【図１３Ｂ】図１３Ａに示す上衣のマチの展開図である。
【図１４】マチの有無による上衣の脇下部分と身体との関係を示す概略図である。
【図１５】従来のストレートマチを配置した上衣の概略図である。
【図１６】従来の菱形マチを配置した上衣の概略図である。
【発明を実施するための形態】
【００２２】
図１は、左側のマチ２を縫着する前の状態で示した、この発明に係る上衣１の概略図である。
【００２３】
この発明に係るマチ２は、脇部Ａ、脇下部Ｂ、袖部Ｃの３つのブロックで構成される。
脇下部Ｂは、腕上げ動作時に身体の皮膚伸びが大きい領域ｄであり、この領域ｄの前脇下部と後脇下部の両側辺に、次第に湾曲して鎌底１３付近が最も広がる前側凸部３と後側凸部４を形成している。符号５の鎖線は、従来のストレートマチ１３の脇下部分の形状線を示している。
脇部Ａと、袖部Ｃの両側辺は、直線もしくはほぼ一定曲率の帯状に形成されている。
【００２４】
脇下部Ｂは、上記のように、腕上げ動作時に身体の皮膚伸びが大きい領域ｄであり、脇部Ａとの境界は、図２Ａに示すように、大胸筋Ｇが腹部の腹直筋鞘最上部の前葉Ｈに付着する点を通る胸部断面に位置し、袖部Ｃとの境界は、三角筋Ｉが上腕骨の三角筋粗面Ｊに付着する点を通る上腕断面に位置する。
【００２５】
脇下部Ｂの突出部の位置、即ち、前側凸部３と後側凸部４の頂点の位置は、胸側位置が、図２Ｂに示すように、前腋点Ｋ近傍、即ち、腕付け根回り前面で、体幹と腕の境のしわの上縁の点にあり、後側位置が、図２Ｃに示すように、後腋点Ｌ近傍、即ち、腕つけ根回り後面で、体幹と腕の境のしわの上縁の点にある。
【００２６】
脇下部Ｂの幅、即ち、前側凸部３と後側凸部４の幅は、脇部Ａの境界部分が、胸囲の１０〜１４％、前側凸部３と後側凸部４の頂点の位置で、胸囲の１４〜２２％、袖部Ｃの境界部分が、胸囲の９〜１３％の範囲にそれぞれ設定されている。
【００２７】
図３は、この発明に係る左側のマチ２を縫合する身頃を構成する左前身頃Ｄ、上袖Ｅ、左後身頃Ｆを示している。
【００２８】
この発明に係るマチ２の脇下部Ｂの前側凸部３と後側凸部４を縫合する身頃側の脇下の形状線は、図３に示すように、前側凸部３と後側凸部４の形状線に適合させずに、即ち、マチ２の前側凸部３と後側凸部４に対応した凹み６を設けない、ほぼ一定の曲率の曲線からなる。
【００２９】
この発明に係るマチ２は、上記のように、腕上げ動作時に身体の皮膚伸びが大きい領域ｄに、両側辺が次第に湾曲して鎌底ａが最も広がる前側凸部３と後側凸部４を形成し、このマチ２の前側凸部３と後側凸部４を縫合する身頃側の脇下の形状線を、前側凸部３と後側凸部４に適合する凹み６のない異形状に形成している。これにより、マチ２から身頃に対して押し上げる力が作用し、肩上部の締め付け力が減少すると共に、マチ２と身頃とを縫合するステッチ８による引きつれが生じにくくなる。図１にマチ２から身頃に対して作用する押し上げる力を模式的に矢印７で示している。
【００３０】
マチ形状の違いにより、マチから身頃に対する押し上げ力、肩上部の締め付け力、マチと身頃とを縫合するステッチ８による引きつれがどのように変化するかについて実験を行ったところ、この発明の実施例のマチ２は、下記の比較例１〜比較例４のマチ構造よりも、身頃に対する押し上げ力が大きくて、肩上部の締め付け力の軽減効果が高く、また、マチと身頃とを縫合するステッチ８による衣服の引きつれ現象が生じにくいという結果が得られた。
【００３１】
比較実験を行った比較例１は、脇下部に突出部を有しない、図４に示す形状のストレートマチ１３を使用したものであり、この発明のマチ２から前側凸部２と後側凸部３を除いた形状をしている。
【００３２】
比較実験を行った比較例２は、脇下部に向かって次第に膨らんだ、図５に示す形状の紡錘マチ１４である。この比較例２のマチ１４の脇下部の最も幅が広い鎌底ａの幅Ｌは、この発明の前側凸部２と後側凸部３の鎌底ａの幅と同じ幅にしている。
【００３３】
比較実験を行った比較例３は、脇下部に向かって次第に膨らんだ形状の紡錘マチ１６であり、図６に示すように、比較例２のものよりも脇下部の鎌底ａの幅Ｌを狭くし、脇下部に前側凸部２と後側凸部３を有しないストレートマチ１３の形状線５を基準にして外側に広がる部分の面積Ｓ１、Ｓ２を、この発明のマチの前側凸部２と後側凸部３の面積Ｓ１、Ｓ２と同じにしたものである。
【００３４】
比較実験を行った比較例４は、マチ形状をこの発明に係るマチ２と同一形状としたものであるが、図７に示すように、マチの前側凸部２と後側凸部３が縫合される、前身頃、上袖及び後脇下の形状線に、前側凸部２と後側凸部３に適合する凹み６を形成している。図７の一点鎖線９は、この発明の身頃の脇下の形状線を示している。
【００３５】
なお、比較例１〜３のものも、マチの前側線と後側線が縫合される、前身頃Ｄ、上袖Ｅ及び後脇下Ｆの形状線は、マチの前側線と後側線に適合する形状にしている。
【００３６】
まず、それぞれの上衣を着用した時に、腕上げ角度との関係で、上腕部に加わる圧力がどのように変化するかを、身体の上腕部に圧力センサーを貼って測定したところ、図８のグラフに示すように、この発明の実施例は、ストレートマチ１３の比較例１に対し、腕上げ角度が、０度、４５度、９０度、１８０度のいずれの場合も、締め付け圧力を半分以下に低減することができた。また、広幅の紡錘マチ１４の比較例２と比較した場合には、０度、４５度では、ほぼ同じ程度の低減効果であったが、腕上げ角度が９０度以上で低減効果に大きな差が生じた。
【００３７】
また、マチ形状は、この発明と同一形状であるが、身頃側に、前側凸部２と後側凸部３に適合する凹み６を設けた比較例４は、身頃の脇下部分に凹み６を付けた分だけ、アームホールが小さくなり、肩上部のゆとりが減少し、特に、腕上げ角度が９０度以下の時の締め付け圧力が大幅に上昇した。
【００３８】
次に、腕上げ角度が１８０度の時に、身体の皮膚伸びに、マチと身頃とのステッチ（縫目）がどのように影響するかを、ステッチラインｆに沿ってマーカーを付け、首の付け根の位置からの相対位置で確認した。その結果、図９のグラフに示す通り、この発明の実施例は、どの比較例よりもステッチラインｆの湾曲線と、グラフの縦軸が示す皮膚伸びラインｅとの角度が大きく、ステッチ８が皮膚伸びを阻害しないということを確認することができた。
【００３９】
この発明の実施例は、図１０に示すように、皮膚伸びの大きい領域ｄにおいて、ステッチラインｆが大きく湾曲して、ステッチラインｆと皮膚伸びラインｅとがなす角θが大きく、ステッチラインｆが皮膚伸びを阻害せず、その結果、腕上げ動作の際に、引きつれを緩和し、ズレ上がりを減少させることができる。これに対し、ストレートマチ１３では、図１５に示すように、皮膚伸びの大きい領域ｄにおいて、ステッチラインｆと皮膚伸びラインｅとがなす角θが小さく、ステッチラインｆが皮膚伸びを阻害する。
【００４０】
次に、腕上げ角度が１８０度の時のステッチによる引きつれによる裾のズレ上がりがどのように変化するかを、裾から２０ｃｍの高さに付けたマーカーが、腕上げ角度が０度の時から鉛直距離でどの位ズレ上がるかによって確認した。その結果は、図１２の通りであり、この発明の実施例は、どの比較例よりもズレ上がり量が少なく、ストレートマチ１３の比較例１に比べるズレ上がり量が半減していた。
【００４１】
この発明の実施例に使用するマチ２の素材は、身頃と同じ素材で形成してもよいが、幅方向に身頃の素材よりも弾性力が高くて曲り難い素材を使用すると、マチから身頃に対する押し上げ力、肩上部の締め付け力がより改善する。
【００４２】
また、この発明の実施例に使用するマチ２の長さを、ウエスト線から脇下を経て、肘線までの長さよりも長くしても短くしてもよく、図１３Ａ、図１３Ｂに示すように、ウエスト線Ｍ近傍から脇下を経て、肘線Ｎ近傍まで延びても同様の効果を奏する。なお、ウエスト線Ｍとは、肋骨下端と骨盤上端の中点を通る断面の外周線のことであり、肘線Ｎとは、肘頭を通る断面の外周線のことをいう。
なお、上記の実施例は、長袖の場合について説明したが、長袖に限らず、半袖でもよい。
【産業上の利用分野】
【００４３】
以上のように、この発明の上衣は、マチから身頃に対して押し上げ力を作用させることができ、肩上部の締め付け力が減少すると共に、マチと身頃とを縫合するステッチによる引きつれを生じにくいので、特に、腕の上げ下ろしを激しく行うバレーボールや野球等のウエアとして最適である。
【符号の説明】
【００４４】
１  上衣
２  マチ
３  前側凸部
４  後側凸部
【図１】
2012090265.tif 000003
【図２Ａ】
2012090265.tif 000004
【図２Ｂ】
2012090265.tif 000005
【図２Ｃ】
2012090265.tif 000006
【図３】
2012090265.tif 000007
【図４】
2012090265.tif 000008
【図５】
2012090265.tif 000009
【図６】
2012090265.tif 000010
【図７】
2012090265.tif 000011
【図８】
2012090265.tif 000012
【図９】
2012090265.tif 000013
【図１０】
2012090265.tif 000014
【図１１】
2012090265.tif 000015
【図１２】
2012090265.tif 000016
【図１３Ａ】
2012090265.tif 000017
【図１３Ｂ】
2012090265.tif 000018
【図１４】
2012090265.tif 000019
【図１５】
2012090265.tif 000020
【図１６】
2012090265.tif 000021
【手続補正書】
【提出日】平成25年10月18日(2013.10.18)
【手続補正１】
【補正対象書類名】明細書
【補正対象項目名】００２３
【補正方法】変更
【補正の内容】
【００２３】
この発明に係るマチ２は、脇部Ａ、脇下部Ｂ、袖部Ｃの３つのブロックで構成される。
脇下部Ｂは、腕上げ動作時に身体の皮膚伸びが大きい領域ｄであり、この領域ｄの前脇下部と後脇下部の両側辺に、次第に湾曲して鎌底ａ付近が最も広がる前側凸部３と後側凸部４を形成している。符号５の鎖線は、従来のストレートマチ１３の脇下部分の形状線を示している。
脇部Ａと、袖部Ｃの両側辺は、直線もしくはほぼ一定曲率の帯状に形成されている。
【手続補正２】
【補正対象書類名】明細書
【補正対象項目名】００３１
【補正方法】変更
【補正の内容】
【００３１】
比較実験を行った比較例１は、脇下部に突出部を有しない、図４に示す形状のストレートマチ１３を使用したものであり、この発明のマチ２から前側凸部３と後側凸部４を除いた形状をしている。
【手続補正３】
【補正対象書類名】明細書
【補正対象項目名】００３２
【補正方法】変更
【補正の内容】
【００３２】
比較実験を行った比較例２は、脇下部に向かって次第に膨らんだ、図５に示す形状の紡錘マチ１４である。この比較例２のマチ１４の脇下部の最も幅が広い鎌底ａの幅Ｌは、この発明の前側凸部３と後側凸部４の鎌底ａの幅と同じ幅にしている。
【手続補正４】
【補正対象書類名】明細書
【補正対象項目名】００３３
【補正方法】変更
【補正の内容】
【００３３】
比較実験を行った比較例３は、脇下部に向かって次第に膨らんだ形状の紡錘マチ１６であり、図６に示すように、比較例２のものよりも脇下部の鎌底ａの幅Ｌを狭くし、脇下部に前側凸部３と後側凸部４を有しないストレートマチ１３の形状線５を基準にして外側に広がる部分の面積Ｓ１、Ｓ２を、この発明のマチの前側凸部３と後側凸部４の面積Ｓ１、Ｓ２と同じにしたものである。
【手続補正５】
【補正対象書類名】明細書
【補正対象項目名】００３４
【補正方法】変更
【補正の内容】
【００３４】
比較実験を行った比較例４は、マチ形状をこの発明に係るマチ２と同一形状としたものであるが、図７に示すように、マチの前側凸部３と後側凸部４が縫合される、前身頃、上袖及び後脇下の形状線に、前側凸部３と後側凸部４に適合する凹み６を形成している。図７の一点鎖線９は、この発明の身頃の脇下の形状線を示している。
【手続補正６】
【補正対象書類名】明細書
【補正対象項目名】００３７
【補正方法】変更
【補正の内容】
【００３７】
また、マチ形状は、この発明と同一形状であるが、身頃側に、前側凸部３と後側凸部４に適合する凹み６を設けた比較例４は、身頃の脇下部分に凹み６を付けた分だけ、アームホールが小さくなり、肩上部のゆとりが減少し、特に、腕上げ角度が９０度以下の時の締め付け圧力が大幅に上昇した。
【手続補正書】
【提出日】平成26年4月7日(2014.4.7)
【手続補正１】
【補正対象書類名】特許請求の範囲
【補正対象項目名】全文
【補正方法】変更
【補正の内容】
【特許請求の範囲】
【請求項１】
前身頃と、後身頃と、袖と、前身頃、後身頃の脇下から脇裾方向及び袖口方向に延びる細長い一枚のマチとを一体に縫合したものであって、上記マチは、脇部、脇下部、袖部の３つのブロックで構成され、マチの素材が、身頃の素材よりも幅方向に弾性力が高くて曲り難い素材であり、マチの脇部及び袖部は、なだらかな曲線又は直線で形成された両側縁を有し、マチの脇下部は、前脇下部と後脇下部の両側縁に、次第に湾曲して鎌底付近が最も広がる前側凸部と後側凸部を有し、このマチの前側凸部と後側凸部が縫合される前身頃、後身頃及び袖部分の形状を、マチの前側凸部と後側凸部に適合する凹みを有しない異形状にしたことを特徴とする上衣。
【請求項２】
マチの長さは、ウエスト線から脇下を経て、肘線までの長さよりも長いことを特徴とする請求項１記載の上衣。
【請求項３】
マチの長さは、ウエスト線から脇下を経て、肘線までの長さよりも短いことを特徴とする請求項１記載の上衣。
【請求項４】
マチの長さは、ウエスト線から脇下、さらに三角筋粗面を経て、肘線までの長さよりも短いことを特徴とする請求項３記載の上衣。
【請求項５】
マチは、ウエスト線近傍から脇下を経て、肘線近傍まで延びることを特徴とする請求項１記載の上衣。
【請求項６】
マチが袖口まで延びることを特徴とする請求項１記載の上衣。
【請求項７】
マチが脇裾まで延びることを特徴とする請求項１記載の上衣。
【手続補正２】
【補正対象書類名】明細書
【補正対象項目名】００１５
【補正方法】変更
【補正の内容】
【００１５】
この発明に係る上衣は、前身頃と、後身頃と、袖と、前身頃、後身頃の脇下から脇裾方向及び袖口方向に延びる細長い一枚のマチとを一体に縫合したものであって、上記マチは、脇部、脇下部、袖部の３つのブロックで構成され、マチの素材が、身頃の素材よりも幅方向に弾性力が高くて曲り難い素材であり、マチの脇部及び袖部は、なだらかな曲線又は直線で形成された両側縁を有し、マチの脇下部は、前脇下部と後脇下部の両側縁に、次第に湾曲して鎌底付近が最も広がる前側凸部と後側凸部を有し、このマチの前側凸部と後側凸部が縫合される前身頃、後身頃及び袖部分の形状を、マチの前側凸部と後側凸部に適合する凹みを有しない異形状にしたことを特徴とする。
【国際調査報告】
2012090265.tif 000022
2012090265.tif 000023
2012090265.tif 000024
2012090265.tif 000025